(57)【要約】      （修正有）【課題】粘着ロールを載置枠体上に載置し、剥離片体により粘着ロールの巻端部を剥離し、粘着テープの粘着面を位置決め部材に接触させながら引き出し、テープ切断機構により粘着テープを切断し、使用済みの粘着面と未使用の粘着面との境となるテープ切断位置を容易に感得することができ、剥離片体より粘着テープの巻端部に引出しのための掴部分を形成することができる粘着ロール引剥補助具を提供する。【解決手段】粘着ロールＷを転動自在に載置可能な載置枠体１と、載置枠体に配設され、粘着テープの最外周の巻端部を剥離して掴部分を形成可能な剥離片体２と、粘着ロールからの引出時に粘着テープの使用済みの粘着面ＮＯ及び未使用の粘着面ＮＮに連続接触し、使用済みの粘着面に滑り接触すると共に未使用の粘着面に粘着可能なテープ切断位置Ｆを定める位置決め部材３と、粘着テープを切断するテープ切断機構４とを備える。【選択図】図７
0003217026.tif 000002
【実用新案登録請求の範囲】
【請求項１】
粘着テープが粘着面を外側にして引出自在に巻回され、該粘着テープの最外周の粘着面でゴミ類を付着する清掃用の粘着ロールに用いられ、上記粘着ロールを転動自在に載置可能な載置枠体と、該載置枠体に配設され、該粘着テープの最外周の巻端部を該粘着ロールの外周面から剥離して掴部分を形成可能な剥離片体と、該載置枠体に配設され、該粘着ロールからの引出時に粘着テープの使用済みの粘着面及び未使用の粘着面に連続接触し、使用済みの粘着面に滑り接触すると共に未使用の粘着面に粘着可能なテープ切断位置を定めるための位置決め部材と、該粘着テープを切断するテープ切断機構とを備えてなることを特徴とする粘着ロール引剥補助具。
【請求項２】
上記剥離片体を該粘着テープの引出時に該粘着ロールの粘着面の外周面に弾圧接触させる弾圧機構を備えてなることを特徴とする請求項１記載の粘着ロール引剥補助具。
【請求項３】
上記テープ切断機構として、上記位置決め部材に上記粘着テープの幅方向に延びるガイド溝が形成され、該ガイド溝に沿って移動案内されて上記位置決め部材の接触面に粘着接触している粘着テープを切断可能な切断刃体を備えてなることを特徴とする請求項１又は２記載の粘着ロール引剥補助具。
【請求項４】
上記弾圧機構として、上記剥離片体を該粘着テープの引出時に該粘着ロールの粘着面の外周面に弾圧接触可能な板バネ部材により形成してなることを特徴とする請求項１〜３のいずれか１項に記載の粘着ロール引剥補助具。
【請求項５】
上記載置枠体に上記粘着ロールを転動自在に載置可能な転動ロールを配設してなることを特徴とする請求項１〜４のいずれか１項に記載の粘着ロール引剥補助具。
【考案の詳細な説明】
【技術分野】
【０００１】
本考案は、巻回された粘着テープの最外周の粘着面でゴミ類を転動付着して清掃する際に用いられる粘着ロール引剥補助具に関するものである。
【背景技術】
【０００２】
この種の清掃用の粘着ロールとして、粘着テープが粘着面を外側にして引出自在に巻回され、粘着テープの最外周の粘着面でゴミ類を付着する構造のものが知られている。
【０００３】
しかして、粘着テープの最外周の粘着面でゴミ類を付着した結果、粘着面の粘着力が低下したとき、最外周の略一周分の粘着テープを引出してミシン目状の切断箇所より使用済みの粘着面を剥離切断して新たな未使用の粘着力の高い粘着面を露呈するようにしている。
【先行技術文献】
【特許文献】
【０００４】
【特許文献１】実開昭５５−１６７３６３号公報
【考案の概要】
【考案が解決しようとする課題】
【０００５】
しかしながらこれら従来構造の場合、上記ミシン目状の切断箇所からの剥離作業は目の不自由な老人等には非常に面倒な作業となり、かつ、粘着テープに対するミシン目の形成工程の存在により製作コストの高騰を招くことになることがあるという不都合を有している。
【課題を解決するための手段】
【０００６】
本考案はこれらの不都合を解決することを目的とするもので、本考案のうちで、請求項１記載の考案は、粘着テープが粘着面を外側にして引出自在に巻回され、該粘着テープの最外周の粘着面でゴミ類を付着する清掃用の粘着ロールに用いられ、上記粘着ロールを転動自在に載置可能な載置枠体と、該載置枠体に配設され、該粘着テープの最外周の巻端部を該粘着ロールの外周面から剥離して掴部分を形成可能な剥離片体と、該載置枠体に配設され、該粘着ロールからの引出時に粘着テープの使用済みの粘着面及び未使用の粘着面に連続接触し、使用済みの粘着面に滑り接触すると共に未使用の粘着面に粘着可能なテープ切断位置を定めるための位置決め部材と、該粘着テープを切断するテープ切断機構とを備えてなることを特徴とする粘着ロール引剥補助具にある。
【０００７】
又、請求項２記載の考案は、上記剥離片体を該粘着テープの引出時に該粘着ロールの粘着面の外周面に弾圧接触させる弾圧機構を備えてなることを特徴とするものであり、又、請求項３記載の考案は、上記テープ切断機構として、上記位置決め部材に上記粘着テープの幅方向に延びるガイド溝が形成され、該ガイド溝に沿って移動案内されて上記位置決め部材の接触面に粘着接触している粘着テープを切断可能な切断刃体を備えてなることを特徴とするものであり、又、請求項４記載の考案は、上記弾圧機構として、上記剥離片体を該粘着テープの引出時に該粘着ロールの粘着面の外周面に弾圧接触可能な板バネ部材により形成してなることを特徴とするものであり、又、請求項５記載の考案にあっては、上記載置枠体に上記粘着ロールを転動自在に載置可能な転動ロールを配設してなることを特徴とするものである。
【考案の効果】
【０００８】
本考案は上述の如く、請求項１記載の考案にあっては、粘着ロールを載置枠体上に載置し、剥離片体により粘着ロールの巻端部を剥離し、粘着ロールから粘着テープを引出し、粘着テープの粘着面を位置決め部材に接触させながら引き出し、粘着テープの引出時において、位置決め部材に粘着テープの使用済みの粘着面及び未使用の粘着面は連続接触し、使用済みの粘着面はゴミ類の付着により粘着力が低下しているので位置決め部材に対して滑り接触し、位置決め部材に粘着テープの使用済みの粘着面が滑り接触したのち、さらなる粘着ロールからの粘着テープの引出により新たな未使用の粘着面が露呈して位置決め部材に粘着し、粘着テープの新たな未使用の粘着面が位置決め部材に粘着することにより粘着テープの引出しが阻止され、この阻止作用によりさらなる粘着テープの引出しが困難となり、これにより粘着ロールの外周に新たな未使用の粘着面が略一周分露呈されたことを感得することができ、この状態において、テープ切断機構により粘着テープを切断し、粘着ロールの最外周に新たな未使用の粘着面を露呈することができ、したがって、切断の目安となるミシン目状の切断箇所にあえて頼らずとも、粘着テープの使用済みの粘着面と未使用の粘着面との境となるテープ切断位置を容易に感得することができ、剥離片体より粘着テープの巻端部に引出しのための掴部分を形成することができ、目の不自由な老人等にも粘着テープの剥離及び切断を容易に行うことができると共に粘着テープの無駄な使用を防ぐことができる。
【０００９】
又、請求項２記載の考案にあっては、上記剥離片体を粘着テープの引出時に粘着ロールの粘着面の外周面に弾圧接触させる弾圧機構を備えてなるから、粘着ロールから引出した粘着テープの外周を弾圧することにより粘着ロールから位置決め部材の間の粘着テープを張架することができ、それだけ、粘着テープの粘着面と位置決め部材との接触を良好に行うことができ、粘着テープの使用済みの粘着面と未使用の粘着面との境となるテープ切断位置を容易に感得することができ、又、請求項３記載の考案にあっては、上記テープ切断機構として、上記位置決め部材に上記粘着テープの幅方向に延びるガイド溝が形成され、ガイド溝に沿って移動案内されて上記位置決め部材の接触面に粘着接触している粘着テープを切断可能な切断刃体を備えてなるから、粘着テープを使用済みの粘着面と未使用の粘着面との境となるテープ切断位置で容易に切断することができ、又、請求項４記載の考案にあっては、上記弾圧機構として、上記剥離片体を粘着テープの引出時に粘着ロールの粘着面の外周面に弾圧接触可能な板バネ部材により形成してなるから、弾圧機構の構造を簡素化することができ、又、請求項５記載の考案にあっては、上記載置枠体に上記粘着ロールを転動自在に載置可能な転動ロールを配設してなるから、粘着ロールの回転を容易に行うことができ、離片体の先端部による粘着テープの捲上部としての掴部分の形成作業及び粘着テープの引出作業を容易に行うことができ、粘着テープの剥離及び切断を容易に行うことができる。
【図面の簡単な説明】
【００１０】
【図１】本考案の実施の形態例の斜視図である。
【図２】本考案の実施の形態例の平面図である。
【図３】本考案の実施の形態例の側断面図である。
【図４】本考案の実施の形態例の捲上状態の平面図である。
【図５】本考案の実施の形態例の捲上状態の拡大側断面図である。
【図６】本考案の実施の形態例の引出状態の平面図である。
【図７】本考案の実施の形態例の引出状態の拡大側断面図である。
【図８】本考案の実施の形態例の切断状態の拡大側断面図である。
【考案を実施するための形態】
【００１１】
図１乃至図８は本考案の実施の形態例を示し、Ｗは粘着ロールであって、図１、図２、図５、図６の如く、粘着テープＴが粘着面Ｎを外側に、剥離面Ｈを内側にして巻心Ｓに引出自在に巻回され、巻心Ｓの内穴にハンドルＫの軸部Ｋ１が挿通され、ハンドルＫを持って、粘着ロールＷを床面などの清掃面上で転動し、粘着テープＴの最外周の粘着面Ｎでゴミ類Ｇを付着して清掃面を清掃し、粘着ロールＷの最外周の粘着テープＴの粘着面Ｎが使用により粘着力が低下したとき、使用済み粘着面ＮＯと未使用の粘着面ＮＮの境で粘着テープＴを切断し、新たな未使用の粘着面Ｎを露呈するようにしている。
【００１２】
１は載置枠体であって、合成樹脂等により製作され、この場合、図１、図２の如く、左右一対の側杆１ａ・１ａ、前杆１ｂ及び後杆１ｃにより四角枠状に形成され、左右の側杆１ａ・１ａの内面に粘着ロールＷの左右端部外周面を転動自在に載置可能な左右一対の計４個の転動ロール１ｄ・１ｄ・１ｄ・１ｄを支持軸１ｅ・１ｅ・１ｅ・１ｅにより回転自在に軸架し、上記後杆１ｃの中央部に握柄杆１ｆを取り付けて構成している。
【００１３】
２は剥離片体であって、この場合、図１、図４、図５の如く、上記載置枠体１の握柄杆１ｆにビスＢ及び長穴Ｄにより進退自在に配設され、上記粘着テープＴの最外周の粘着テープＴの巻端部Ｔ１を粘着ロールＷの外周面から剥離可能に形成され、すなわち、粘着ロールＷの左右端部外周面を載置枠体１の転動ロール１ｄ・１ｄ・１ｄ・１ｄ上に載置し、図５の如く、粘着ロールＷを把持して図中、半時計回りの矢印方向に回転させ、剥離片体２の先端部で粘着ロールＷの粘着テープＴの巻端部Ｔ１の中央部を捲り上げ、捲上部を粘着ロールのＷから粘着テープＴを剥離して引出すための掴部分Ｔ２として構成している。
【００１４】
３は位置決め部材であって、この場合、図１の如く、上記載置枠体１の前杆１ｂに配設され、図７の如く、上記粘着ロールＷからの粘着テープＴの図中、上記捲上時と反対回りの時計回りの矢印方向への引出時に位置決め部材３の接触面３ａが粘着テープＴの使用済みの粘着面ＮＯ及び未使用の粘着面ＮＮに連続接触し、使用済みの粘着面ＮＯに滑り接触すると共に未使用の粘着面ＮＮに粘着可能に形成され、位置決め部材３の接触面３ａに粘着テープＴの使用済みの粘着面ＮＯが滑り接触したのち、さらなる引出により粘着ロールＷからの新たな未使用の粘着面ＮＮが位置決め部材３の接触面３ａに粘着し、粘着テープＴの新たな未使用の粘着面ＮＮが位置決め部材３の接触面３ａに粘着することにより粘着テープＴの引出しが阻止され、位置決め部材３は粘着テープＴの使用済みの粘着面ＮＯと未使用の粘着面ＮＮとの境となるテープ切断位置Ｆを定めることになり、これにより粘着ロールＷの外周に新たな未使用の粘着面ＮＮが露呈されたことを感得することになる。
【００１５】
４はテープ切断機構であって、図１、図８の如く、粘着テープＴの使用済みの粘着面ＮＯと未使用の粘着面ＮＮとの境となるテープ切断位置Ｆを切断可能に構成され、この場合、図３の如く、上記位置決め部材３に上記粘着テープＴの幅方向に延びるガイド溝３ｂが形成され、ガイド溝３ｂに沿って移動案内されて上記位置決め部材３に粘着接触している粘着テープＴを切断可能な切断刃体５を備えて構成している。尚、テープ切断機構４の構造として、例えば、図示省略の上記位置決め部材３に波状の切断刃を形成した構造や固定刃及び可動刃からなる裁断式構造のもの、その他、各種の構造のものが採用されることになる。
【００１６】
６は弾圧機構であって、図３、図５、図７の如く、上記剥離片体２の先端部を粘着テープＴの引出時に粘着ロールＷの粘着面Ｎの外周面に弾圧接触させる構造となっており、この場合、上記弾圧機構６として、上記剥離片体２を粘着テープＴの第５図の捲上時及び第７図の引出時に粘着ロールＷの自重により弾性変形して自己弾性復元作用により粘着ロールＷの粘着面Ｎの外周面に弾圧接触可能な板バネ部材６ａにより形成されている。
【００１７】
この実施の形態例は上記構成であるから、ハンドルＫを持って、粘着ロールＷを床面などの清掃面上で転動し、粘着テープＴの最外周の粘着面Ｎでゴミ類Ｇを付着して清掃面を清掃することになり、使用の経過により粘着ロールＷの最外周の粘着テープＴの粘着面Ｎの粘着力が低下したとき、使用済み粘着面ＮＯと未使用の粘着面ＮＮの境で粘着テープＴを切断し、新たな未使用の粘着面Ｎを露呈することになる。
【００１８】
この際、先ず図４、図５の如く、粘着ロールＷの最外周の粘着テープＴの巻端部Ｔ１と上記剥離片体２の先端部とが対向する状態において、粘着ロールＷを載置枠体１の転動ロール１ｄ・・上に載置し、図５の如く、粘着ロールＷを図中、矢印方向に手で回転して粘着テープＴの巻端部Ｔ１と次外周の粘着面Ｎとの間に剥離片体２の先端部を挿通し、粘着ロールＷの更なる回転により粘着ロールＷの中央部分に捲上部としての掴部分Ｔ２を形成し、次いで、図６、図７の如く、粘着ロールＷを持ち上げ、上下反転して再度、粘着ロールＷを載置枠体１の転動ロール１ｄ・・上に載置し、捲上部としての掴部分Ｔ２を掴んで粘着ロールＷから粘着テープＴを引出し、粘着テープＴの粘着面Ｎを位置決め部材３の接触面３ａに接触させながら引き出し、この粘着テープＴの引出時において、位置決め部材３の接触面３ａに粘着テープＴの使用済みの粘着面ＮＯ及び未使用の粘着面ＮＮは連続接触し、使用済みの粘着面ＮＯはゴミ類Ｇの付着により粘着力が低下しているので位置決め部材３の接触面３ａに対して滑り接触し、位置決め部材３の接触面３ａに粘着テープＴの使用済みの粘着面ＮＯが滑り接触したのち、さらなる粘着ロールＷからの粘着テープＴの引出により新たな未使用の粘着面ＮＮが露呈して位置決め部材３の接触面３ａに粘着し、粘着テープＴの新たな未使用の粘着面ＮＮが位置決め部材３の接触面３ａに粘着することにより粘着テープＴの引出しが阻止され、この阻止作用によりさらなる粘着テープＴの引出しが困難となり、これにより粘着ロールＷの外周に新たな未使用の粘着面ＮＮが略一周分露呈されたことを感得することができ、この状態において、図８の如く、テープ切断機構４により粘着テープＴを切断し、粘着ロールＷの最外周に新たな未使用の粘着面ＮＮを露呈することができ、したがって、切断の目安となるミシン目状の切断箇所にあえて頼らずとも、粘着テープＴの使用済みの粘着面ＮＯと未使用の粘着面ＮＮとの境となるテープ切断位置Ｆを容易に感得することができ、この剥離片体２より粘着ロールＷの粘着テープＴの巻端部Ｔ１の中央部分に捲上部としての掴部分Ｔ２を形成することができ、目の不自由な老人等にも粘着テープＴの剥離及び切断を容易に行うことができると共に粘着テープの無駄な使用を防ぐことができる。
【００１９】
この場合、図５の如く、上記剥離片体２を粘着テープＴの引出時に粘着ロールＷの粘着面Ｎの外周面に弾圧接触させる弾圧機構６を備えてなるから、粘着ロールＷから引出した粘着テープＴの外周を弾圧することにより粘着ロールＷから位置決め部材３の間の粘着テープＴを張架することができ、それだけ、粘着テープＴの粘着面Ｎと位置決め部材３の接触面３ａとの接触を良好に行うことができ、粘着テープＴの使用済みの粘着面ＮＯと未使用の粘着面ＮＮとの境となるテープ切断位置Ｆを容易に感得することができ、又、この場合、図１、図８の如く、上記テープ切断機構４として、上記位置決め部材３に上記粘着テープＴの幅方向に延びるガイド溝３ｂが形成され、ガイド溝３ｂに沿って移動案内されて上記位置決め部材３の接触面３ａに粘着接触している粘着テープＴを切断可能な切断刃体５を備えてなるから、粘着テープＴを使用済みの粘着面ＮＯと未使用の粘着面ＮＮとの境となるテープ切断位置Ｆで容易に切断することができ、又、この場合、図７の如く、上記弾圧機構６として、上記剥離片体２を粘着テープＴの図中、矢印方向の引出時に粘着ロールＷの粘着面Ｎの外周面に弾圧接触可能な板バネ部材６ａにより形成してなるから、弾圧機構６の構造を簡素化することができ、又、この場合、図１、図２、図４の如く、上記載置枠体１に上記粘着ロールＷを転動自在に載置可能な転動ロール１ｄ・・を配設してなるから、粘着ロールＷの回転を容易に行うことができ、剥離片体２の先端部による粘着テープＴの捲上部としての掴部分Ｔ２の形成作業及び粘着テープＴの引出作業を容易に行うことができ、粘着テープＴの剥離及び切断を容易に行うことができる。
【００２０】
尚、本考案は上記実施の形態例に限られるものではなく、載置枠体１、剥離片体２、位置決め部材３、テープ切断機構４、弾圧機構６の構造等は適宜変更して設計されるものである。
【００２１】
以上、所期の目的を充分達成することができる。
【符号の説明】
【００２２】
Ｗ    粘着ロール
Ｔ    粘着テープ
Ｔ１    巻端部
Ｔ２    掴部分
Ｎ    粘着面
Ｇ    ゴミ類
ＮＯ    使用済み粘着面
ＮＮ    未使用の粘着面
Ｆ    テープ切断位置
１    載置枠体
１ｄ    転動ロール
２    剥離片体
３    位置決め部材
３ａ    接触面
３ｂ    ガイド溝
４    テープ切断機構
５    切断刃体
６    弾圧機構
６ａ    板バネ部材
【図１】
0003217026.tif 000003
【図２】
0003217026.tif 000004
【図３】
0003217026.tif 000005
【図４】
0003217026.tif 000006
【図５】
0003217026.tif 000007
【図６】
0003217026.tif 000008
【図７】
0003217026.tif 000009
【図８】
0003217026.tif 000010
【手続補正書】
【提出日】平成30年5月10日(2018.5.10)
【手続補正１】
【補正対象書類名】実用新案登録請求の範囲
【補正対象項目名】全文
【補正方法】変更
【補正の内容】
【実用新案登録請求の範囲】
【請求項１】
粘着テープが粘着面を外側にして引出自在に巻回され、該粘着テープの最外周の粘着面でゴミ類を付着する清掃用の粘着ロールに用いられ、上記粘着ロールを転動自在に載置可能な載置枠体と、該載置枠体に配設され、該粘着テープの最外周の巻端部を該粘着ロールの外周面から剥離して掴部分を形成可能な剥離片体と、該載置枠体に配設され、該粘着ロールからの引出時に粘着テープの使用済みの粘着面及び未使用の粘着面に連続接触し、使用済みの粘着面に滑り接触すると共に未使用の粘着面に粘着可能なテープ切断位置を定めるための位置決め部材と、該粘着テープを切断するテープ切断機構とを備えてなることを特徴とする粘着ロール引剥補助具。
【請求項２】
上記剥離片体を該粘着テープの引出時に該粘着ロールの粘着面の外周面に弾圧接触させる弾圧機構を備えてなることを特徴とする請求項１記載の粘着ロール引剥補助具。
【請求項３】
上記テープ切断機構として、上記位置決め部材に上記粘着テープの幅方向に延びるガイド溝が形成され、該ガイド溝に沿って移動案内されて上記位置決め部材の接触面に粘着接触している粘着テープを切断可能な切断刃体を備えてなることを特徴とする請求項１又は２記載の粘着ロール引剥補助具。
【請求項４】
上記弾圧機構として、上記剥離片体を該粘着テープの引出時に該粘着ロールの粘着面の外周面に弾圧接触可能な板バネ部材により形成してなることを特徴とする請求項２記載の粘着ロール引剥補助具。
【請求項５】
上記載置枠体に上記粘着ロールを転動自在に載置可能な転動ロールを配設してなることを特徴とする請求項１〜４のいずれか１項に記載の粘着ロール引剥補助具。